(57)【要約】      （修正有）【課題】既存のフォーマットで構成された音声データに対応し、適切なタイミングと適切な強度でで空気塊を射出できる空気砲を備えた音響装置を提供する。【解決手段】音声信号から周波数と信号強度に関する情報を含むパワースペクトルデータを算出する音声レベル計算回路１１３と、パワースペクトルデータに対応して空気圧パラメーターを保持している空気圧パラメーターメモリ１１５と、該パワースペクトルデータに対応する空気圧パラメーターを読み出す空気圧パラメーター判別回路１１４とを備える。音響装置は前記空気圧パラメーター判別回路１１４が読み出した空気圧パラメーターに従った強度で空気塊を空気砲１１９で射出する。【選択図】図１
2013042771.tif 000002
【特許請求の範囲】
【請求項１】
音声信号から周波数と信号強度に関する情報を含むパワースペクトルデータを算出する音声レベル計算回路と、
前記音声レベル計算回路で算出されたパワースペクトルデータに対応して空気圧パラメーターを保持している空気圧パラメーターメモリと、
前記音声レベル計算回路で算出されたパワースペクトルデータを取得して、前記空気圧パラメーターメモリから該パワースペクトルデータに対応する空気圧パラメーターを読み出す空気圧パラメーター判別回路と、
前記空気圧パラメーター判別回路が読み出した空気圧パラメーターに従った強度で空気塊を射出する空気砲と、
を備える音響装置。
【発明の詳細な説明】
【技術分野】
【０００１】
本発明は空気砲を備えた音響装置に関する。より詳しくは、既知のフォーマットで構成された音声データに対して適切に空気砲を制御し、音声のパラメーターと同期した空気塊を射出することが可能な音響装置に関する。
【背景技術】
【０００２】
近年音響装置の高付加価値化が進んでいる。中でも音声に同期して空気塊を射出することにより、音響装置の使用者に高い臨場感を与える音響装置の開発が進んでいる。
【０００３】
従来、空気塊を射出する音響装置では、空気塊を射出するタイミングを知らせる空気塊データが埋め込まれたコンテンツを再生するものが知られている（例えば特許文献１参照）。
【先行技術文献】
【特許文献】
【０００４】
【特許文献１】特開２００７−２５２７４６号公報
【発明の概要】
【発明が解決しようとする課題】
【０００５】
上記従来の技術では空気塊の射出を判断する際に空気塊データの参照を行う。
【０００６】
しかしながらこの方式では、既存のフォーマットで構成されたコンテンツへの対応ができないという問題がある。
【０００７】
なぜならば、既存のフォーマットで構成されたコンテンツには空気塊データが埋め込まれていないからである。
【０００８】
本発明は上記課題を解決することを目的とする。
【課題を解決するための手段】
【０００９】
前記従来の課題を解決する為に、音声信号から周波数と信号強度に関する情報を含むパワースペクトルデータを算出する音声レベル計算回路と、前記音声レベル計算回路で算出されたパワースペクトルデータに対応して空気圧パラメーターを保持している空気圧パラメーターメモリと、前記音声レベル計算回路で算出されたパワースペクトルデータを取得して、前記空気圧パラメーターメモリから該パワースペクトルデータに対応する空気圧パラメーターを読み出す空気圧パラメーター判別回路と、前記空気圧パラメーター判別回路が読み出した空気圧パラメーターに従った強度で空気塊を射出する空気砲と、を備える音響装置とした。
【発明の効果】
【００１０】
本発明の音響装置によれば、音声信号の周波数および信号強度を解析した結果に基づいて空気塊を射出することができるので、既存のフォーマットでされたコンテンツに対しても適切なタイミングで空気塊を射出制御することができる。
【図面の簡単な説明】
【００１１】
【図１】実施の形態１にかかる音響装置のブロック図
【発明を実施するための形態】
【００１２】
以下本発明の一実施の形態について図面を参照しながら説明する。
（実施の形態１）
以下図１を参照しながら、実施の形態１について説明する。
（機器の構成）
図１は実施の形態１にかかる音響装置のブロック図である。
【００１３】
受信部１１１は、放送波の受信を行うチューナーである。受信部１１１が受信する放送波には番組を構成するトランスポートストリームが重畳されている。トランスポートストリームには音声データ、映像データ、付随情報データがそれぞれパケット化され時間軸多重されている。音声データは音声信号を符号化したものである。映像データは映像信号を符号化したものである。放送波には複数のトランスポートストリームが含まれる。受信部１１１は放送波から特定のトランスポートストリームを選択的に受信する。受信されたトランスポートストリームは増幅、復調等の処理がされる。放送波から得られた各種のパケットはデータの種類毎にまとめられて所定の出力先へ送られる。中でも音声データは音声デコード処理部１１２へ出力される。受信部１１１は具体的にはシリコンチューナーやＣＡＮチューナーなどで実装される。
【００１４】
音声デコード処理部１１２は、受信部１１１から出力された音声データをデコードして音声信号へと変換するものである。本実施の形態とは一例として、サンプリングレートは４８ｋＨｚ、符号化レートは１２８ｋｂｐｓの音声信号が音声デコード処理部１１２のデコードによって得られたとする。音声デコード処理部１１２で得られた音声信号は、音声レベル計算回路１１３および音声タイミングコントローラへ出力される。
【００１５】
音声レベル計算回路１１３は音声デコード処理部１１２から出力された音声信号のパワースペクトルデータを検出するものである。パワースペクトルデータとは周波数成分毎に対応付けられた音声信号の強度である。パワースペクトルデータは音声信号を離散フーリエ変換することによって得られる。音声レベル計算回路１１３は専用ハードウェアで実装してもよいし、ソフトウェアで実装しても良い。音声レベル計算回路１１３で計算されたパワースペクトルデータは空気圧パラメーター判別回路１１４へ出力される。
【００１６】
空気圧パラメーター判別回路１１４は、音声レベル計算回路１１３で計算されたパワースペクトルデータ元に空気圧パラメーターメモリ１１５から空気圧の強弱を示すパラメーターを取り出す回路である。空気圧パラメーターメモリ１１５は主記憶装置である。空気圧パラメーターメモリ１１５には、パワースペクトルデータ毎に空気圧パラメーターが対応付けられて記憶されている。空気圧パラメーターは後述する空気砲１１９から射出される空気塊の速度を設定するものである。
【００１７】
ここで、パワースペクトルデータと空気圧パラメーターとの関係について説明する。パワースペクトルデータの内容が周波数２０Ｈｚ付近でかつ強度が２０Ｈｚ付近における可聴範囲以上である場合に空気圧データは他の場合より高い値、理想的には最高の値を取る様に設定することが望ましい。このようにすると、低音時の臨場感を増強することができるからである。２０Ｈｚは一般的な音声フォーマットで設定される最低周波数の目安であり、適宜変更することも許される。また、可聴範囲はラウドネス曲線などを用いて適宜導き出すことができる。加えて、パワースペクトルデータの内容が周波数１００Ｈｚ付近の場合は空気圧パラメーターを他の場合より低い値、理想的には０にすることが望ましい。１００Ｈｚ付近の音声と同期して空気塊を射出すると、スピーカー等が共振を起こすおそれが高いからである。
【００１８】
空気砲コントローラ１１６は後述する空気砲１１９へ制御信号を送信するものである。空気砲コントローラ１１６は空気圧パラメーター判別回路１１４から空気圧パラメーターを取得する。空気砲コントローラ１１６は取得した空気圧パラメーターを基に空気砲１１９に対して制御信号を送信する。空気砲コントローラ１１６が空気砲１１９へ送信する制御信号が司る制御の内容には、空気圧パラメーターの他に射出方向などが含まれる。空気砲コントローラ１１６はＣＰＵ１２０によって制御される。
【００１９】
音声タイミングコントローラ１１７は音声デコード処理部１１２から取得した音声信号を音声出力部１１８に遅延させて出力するものである。具体的にはバッファとなるメモリで構成される。音声タイミングコントローラ１１７はＣＰＵ１２０によって制御される。
【００２０】
音声出力部１１８はスピーカーである。音声出力部１１８は音声タイミングコントローラ１１７から取得した音声信号を音声として出力する。
【００２１】
空気砲１１９は空気の塊を射出するものである。具体的には、射出口を設けた筐体内の空間にピストン等で力積を加える構成が望ましい。また、ファンの駆動によって空気の流れを制御することによって空気の塊を射出するものでも構わない。
【００２２】
ＣＰＵ１２０は空気砲コントローラ１１６と音声タイミングコントローラ１１７を制御するものである。ＣＰＵ１２０は空気砲１１９から射出される空気塊と、音声出力部１１８から出力される音声とが、同期して音響装置の使用者に感じられるように空気砲コントローラ１１６と音声タイミングコントローラ１１７とを制御する。具体的な制御の一例としてはＣＰＵ１２０が所定の時差パラメーターを保持しており、当該時差パラメーターにしたがって音声タイミングコントローラ１１７の動作タイミングと空気砲コントローラの
動作タイミングに時差をつけて制御するようにしてもよい。また、別途設けられた外部入力装置を用いて、音響装置の使用者から制御信号を受け取り、受け取った制御信号に基づいて時差パラメーターを段階的に変化させるようにしてもよい。このようにすると、使用者の位置が変化しても、音声と空気塊を同期して使用者に到達させることが可能になる。
【産業上の利用可能性】
【００２３】
本発明の音響装置はＴＶ等に接続して使用される外部スピーカーとして有用である。
【符号の説明】
【００２４】
１１１  受信部
１１２  音声デコード処理部
１１３  音声レベル計算回路
１１４  空気圧パラメーター判別回路
１１５  空気圧パラメーターメモリ
１１６  空気砲コントローラ
１１７  音声タイミングコントローラ
１１８  音声出力部
１１９  空気砲
１２０  ＣＰＵ
【図１】
2013042771.tif 000003